(57)【特許請求の範囲】
【請求項１】
胴部（１）と、スナップキャップ（２）とを備え、前記胴部（１）の上端にインク供給ノズル（３）を有する横開き式の扁平状インクタンク型インクカートリッジであって、前記胴部（１）の上端の片側に逃げ部（５）を更に有する、前記スナップキャップ（２）の片側に、下に突出して延びた横開き式係合キャップ（６）を有し、前記スナップキャップ（２）は胴部（１）の一端に係合し、インク供給ノズル（３）を覆うと共に、前記横開き式係合キャップ（６）は逃げ部（５）を整合的に覆い、且つ上へ動かされる時、横開き式係合キャップ（６）は、スナップキャップ（２）と胴部（１）を片側から次第に分離させるように動かし、スナップキャップ（２）の横開きを実現させる、前記横開き式の扁平状インクタンク型インクカートリッジ。
【請求項２】
前記スナップキャップ（２）の内側壁に、第１アンダーカット（７）が設けられ、前記横開き式係合キャップ（６）とスナップキャップ（２）との接続箇所に第２アンダーカット（８）が設けられ、前記第２アンダーカット（８）は横開き式係合キャップ（６）の内部に位置し、前記胴部（１）の上端に係合部（９）が設けられ、前記係合部（９）の外表面に凸状リブ（１０）が設けられ、前記スナップキャップ（２）は胴部（１）の係合部（９）に係合し、且つ前記第１アンダーカット（７）及び第２アンダーカット（８）は凸状リブ（１０）を係留することを特徴とする
請求項１に記載の前記横開き式の扁平状インクタンク型インクカートリッジ。
【請求項３】
前記凸状リブ（１０）は環状となる又はストリップ状となる凸状リブであり、前記ストリップ状となるリブは２本以上であり、各ストリップ状となる凸状リブは、第１アンダーカット（７）及び第２アンダーカット（８）に一対一に対応することを特徴とする
請求項２に記載の前記横開き式の扁平状インクタンク型インクカートリッジ。
【請求項４】
前記凸状リブ（１０）の外表面は、円弧面であることを特徴とする
請求項３に記載の前記横開き式の扁平状インクタンク型インクカートリッジ。
【請求項５】
前記横開き式係合キャップ（６）の縁とスナップキャップ（２）の縁との接続箇所に凹溝（１１）が設けられることを特徴とする
請求項２に記載の前記横開き式の扁平状インクタンク型インクカートリッジ。
【請求項６】
前記横開き式係合キャップ（６）の縁の下端に動かすための溝（１４）が設けられることを特徴とする
請求項５に記載の前記横開き式の扁平状インクタンク型インクカートリッジ。
【請求項７】
前記横開き式係合キャップ（６）、第１アンダーカット（７）、第２アンダーカット（８）及びスナップキャップ（２）は一体型構造となり、前記係合部（９）、凸状リブ（１０）及び胴部（１）は一体型構造となることを特徴とする
請求項５に記載の前記横開き式の扁平状インクタンク型インクカートリッジ。
【請求項８】
前記係合部（９）はボスであり、前記インク供給ノズル（３）はボスの上表面に設けられるか、又は前記係合部（９）は環状となる凸状壁であり、前記インク供給ノズル（３）は環状となる凸状壁の中央に設けられることを特徴とする
請求項５に記載の前記横開き式の扁平状インクタンク型インクカートリッジ。
【請求項９】
前記逃げ部（５）は、胴部（１）の側面から上へ係合部（９）の片側まで次第に延びる切欠きであり、前記切欠きは、胴部（１）の厚さ方向に沿って胴部（１）を貫通することを特徴とする
請求項２に記載の前記横開き式の扁平状インクタンク型インクカートリッジ。
【請求項１０】
前記横開き式係合キャップ（６）の外側表面に横開き方向識別部（１２）が設けられることを特徴とする
請求項１に記載の前記横開き式の扁平状インクタンク型インクカートリッジ。
【発明の詳細な説明】
【技術分野】
【０００１】
本発明は、印刷消耗品技術分野に属し、特に、横開き式の扁平状インクタンク型インクカートリッジに関する。
【背景技術】
【０００２】
現在、市場における従来の扁平状インクタンク型インクカートリッジは、胴部と、スナップキャップとを備える。しかしながら、出願人は、これらの扁平状インクタンク型インクカートリッジにおいて、スナップキャップと胴部が一般的にはネジ構造で固着されており、スナップキャップ開閉時に、スナップキャップを繰り返して螺回させる必要があり、操作が極めて煩雑であり、時間がかかり、且つネジ構造の加工の困難性が高く、コストが低く、また印刷に要求される容量を満たすために胴部の寸法が大きくなり、組立時にプリンタの印刷ユニットに引っ掛かって動かなくなってしまい、正常に使用するために人工的補助を必要とし、そうでなければ、胴部が転倒するリスクがあり、また異なる品番のプリンタに汎用できず、汎用性が低いことを発見した。
【発明の概要】
【発明が解決しようとする課題】
【０００３】
従来技術における上記課題を解消するために、本発明は、開放しやすく、操作が簡単かつ迅速で、組立時に引っ掛かって動かなくなることなく、汎用性が高く、且つ構造が簡単かつコンパクトで、生産加工しやすい横開き式の扁平状インクタンク型インクカートリッジを提供する。
【課題を解決するための手段】
【０００４】
上記技術的課題を解決するために、本発明は以下の技術的解決手段を用いる。
【０００５】
横開き式の扁平状インクタンク型インクカートリッジであって、胴部と、スナップキャップとを備え、前記胴部の上端にインク供給ノズルを有し、前記胴部の上端の片側に逃げ部を更に有し、前記スナップキャップの片側に、下に突出して延びた横開き式係合キャップを有し、前記スナップキャップは胴部の一端に係合し、インク供給ノズルを覆うと共に、前記横開き式係合キャップは逃げ部を整合的に覆い、且つ上へ動かされる時、横開き式係合キャップは、スナップキャップと胴部を片側から次第に分離させるように動かし、スナップキャップの横開きを実現させる。
【０００６】
更に、前記スナップキャップの内側壁に、第１アンダーカットが設けられ、前記横開き式係合キャップとスナップキャップとの接続箇所に第２アンダーカットが設けられ、前記胴部の上端に係合部が設けられ、前記係合部の外表面に凸状リブが設けられ、前記スナップキャップは胴部の係合部に係合し、且つ前記第１アンダーカット及び第２アンダーカットは凸状リブを係留する。
【０００７】
更に、前記凸状リブは環状となる又はストリップ状となる凸状リブであり、前記ストリップ状となるリブは２本以上であり、各ストリップ状となる凸状リブは、第１アンダーカット及び第２アンダーカットに一対一に対応する。
【０００８】
更に、前記凸状リブの外表面は、円弧面である。
【０００９】
更に、前記横開き式係合キャップの縁とスナップキャップの縁との接続箇所に凹溝が設けられる。
【００１０】
更に、前記横開き式係合キャップの縁の下端に動かすための溝が設けられる。
【００１１】
更に、前記横開き式係合キャップ、第１アンダーカット、第２アンダーカット及びスナップキャップは一体型構造となり、前記係合部、凸状リブ及び胴部は一体型構造となる。
【００１２】
更に、前記係合部はボスであり、前記インク供給ノズルはボスの上表面に設けられるか、又は前記係合部は環状となる凸状壁であり、前記インク供給ノズルは環状となる凸状壁の中央に設けられる。
【００１３】
更に、前記逃げ部は、胴部の側面から上へ係合部の片側まで次第に延びる切欠きであり、前記切欠きは、胴部の厚さ方向に沿って胴部を貫通する。
【００１４】
更に、前記横開き式係合キャップの外側表面に横開き方向識別部が設けられる。
【００１５】
更に、前記横開き方向識別部及びスナップキャップは一体型構造である。
【発明の効果】
【００１６】
本発明は以下の有益な効果を主に有する。
本発明は上記技術的解決手段により、スナップキャップの横開きを実現させることができる。片手で操作を完了することができる。スナップキャップが開放しやすく、操作が非常に簡便かつ迅速なで、また胴部を組み立てる時に、プリンタの一部の印刷ユニットが逃げ部内に位置し、組立時に引っ掛かって動かなくなることなく、汎用性が高く、且つ構造が簡単かつコンパクトで、生産加工しやすく、大量生産及び普及に寄与する。
【図面の簡単な説明】
【００１７】
【図１】本発明に係る横開き式の扁平状インクタンク型インクカートリッジの構成を示す概略図である。
【図２】本発明に係る横開き式の扁平状インクタンク型インクカートリッジを示す分解図である。
【図３】本発明に係る横開き式の扁平状インクタンク型インクカートリッジを示す断面図である。
【図４】本発明に係る横開き式の扁平状インクタンク型インクカートリッジにおけるスナップキャップの構成を示す概略図である。
【図５】本発明に係る横開き式の扁平状インクタンク型インクカートリッジにおけるスナップキャップの局所的な構成を示す概略図である。
【発明を実施するための形態】
【００１８】
本発明の目的、技術的解決手段及び利点をより明確にするために、以下、図面及び実施例を参照して、本発明をさらに詳しく説明する。ここに記載される具体的な実施例は、本発明を説明するためのものに過ぎず、本発明を限定するものではないと理解すべきである。
【００１９】
図１から図５に示すように、本発明の実施例に係る横開き式の扁平状インクタンク型インクカートリッジは、胴部１と、スナップキャップ２とを備え、前記胴部１の上端にインク供給ノズル３を有し、前記胴部１の上端の片側に逃げ部５を更に有し、前記スナップキャップ２の片側に、下に突出して延びた横開き式係合キャップ６を有し、前記スナップキャップ２は胴部１の一端に係合し、インク供給ノズル３を覆うと共に、前記横開き式係合キャップ６は逃げ部５を整合的に覆う。具体的な構造は、以下のものであってもよい。前記スナップキャップ２の内側壁に、第１アンダーカット７が設けられ、前記横開き式係合キャップ６とスナップキャップ２との接続箇所に第２アンダーカット８が設けられ、前記第２アンダーカット８は上端がスナップキャップ２の内側の頂面に接続され、且つその外部に向かう片側に補強リブ１３が設けられ、前記胴部１の上端に係合部９が設けられ、前記係合部９の外表面に凸状リブ１０が設けられる。ここで、前記凸状リブ１０は環状となる凸状リブであって、その外表面が円弧面であってもよい。前記係合部９はボスである。前記インク供給ノズル３はボスの上表面に設けられ、且つ横開き式係合キャップ６、第１アンダーカット７、第２アンダーカット８及びスナップキャップ２は一体型構造となる（例えば、横開き式係合キャップ６、第１アンダーカット７、第２アンダーカット８及びスナップキャップ２は一体に射出成形される）。前記逃げ部５は、胴部１の側面から上へ係合部９の片側まで次第に延びる切欠きであり、前記切欠きは、胴部１の厚さ方向に沿って胴部を貫通する。好ましい実施例として、該切欠きは、弧状となる退避位置であり、且つ凸状リブ１０及び胴部１は一体型構造となる（例えば、係合部９、凸状リブ１０及び胴部１は一体に射出成形される）。
【００２０】
スナップキャップ２と胴部１を組み立てる時、前記スナップキャップ２は胴部１の係合部９に係合し、それと同時に横開き式係合キャップ６は逃げ部５を整合的に覆い、前記第１アンダーカット７及び第２アンダーカット８は凸状リブ１０を係留する。この際、横開き式係合キャップ６を上へ動かすと、横開き式係合キャップ６は、スナップキャップ２と胴部１を片側から次第に分離させるように動かし（具体的には、横開き式係合キャップ６を上へ動かすと、横開き式係合キャップ６が外に向かって変形し、第２アンダーカット８と凸状リブ１０を動かして分離させ、続いて、上へ動かして、続いて、第１アンダーカット７と凸状リブ１０を分離させ、スナップキャップ２を片側から係合部９と分離させ、開放し）、スナップキャップ２の横開きを実現させる。
【００２１】
従って、本発明に係る横開き式の扁平状インクタンク型インクカートリッジはスナップキャップ２の横開きを実現させることができる。片手で操作を完了することができる。スナップキャップ２が開放しやすく、操作が非常に簡便かつ迅速なで、また胴部１を組み立てる時に、プリンタの一部の印刷ユニットが逃げ部５内に位置し、組立時に引っ掛かって動かなくなることなく、汎用性が高く、且つ構造が簡単かつコンパクトで、生産加工しやすく、大量生産及び普及に寄与する。
【００２２】
図１，２及び４に示すように、本実施例において、前記横開き式係合キャップ６の縁とスナップキャップ２の縁との接続箇所に凹溝１１が設けられる。前記凹溝１１はＵ型凹部であってもよく、且つ横開き式係合キャップ６、第１アンダーカット７、第２アンダーカット８及びスナップキャップ２は一体型構造となる（例えば、横開き式係合キャップ６、第１アンダーカット７、第２アンダーカット８及びスナップキャップ２が一体に射出成形される）。従って、横開き式係合キャップ６が上へ動かされる時に外向きの変形特性を向上させ、横開きをより容易にし、操作をより簡単にし、使用しやすくする。
【００２３】
図３、４及び５に示すように、本実施例において、前記横開き式係合キャップ６の縁の下端に動かすための溝１４が設けられる。前記動かすための溝１４は切欠き又は凹部である。スナップキャップ２を開放する時、動かすための溝１４に指を掛け、横開き式係合キャップ６を外へ開放することをより容易かつ簡単にし、スナップキャップ２の横開きに寄与する。
【００２４】
別の実施例として、前記凸状リブ１０はストリップ状となる凸状リブであってもよく、前記ストリップ状となるリブは２本以上であり、各ストリップ状となる凸状リブは、第１アンダーカット７及び第２アンダーカット８に一対一に対応する。前記係合部９は環状となる凸状壁であってもよく、前記インク供給ノズル３は、環状となる凸状壁の中央に設けられる。
【００２５】
図５に示すように、本実施例において、前記横開き式係合キャップ６の外側表面に横開き方向識別部１２が設けられる。前記横開き方向識別部１２及びスナップキャップ２は一体型構造となる（例えば、横開き方向識別部１２とスナップキャップ２は一体に射出成形される）。該横開き方向識別部１２によりスナップキャップの開放方向を明確に指示することができ、操作をより容易にする。
【００２６】
以上の記載は本発明の好適な実施形態であり、当業者にとって、本発明の原理を逸脱しない前提で、若干の改良及び修飾をしてもよく、これらの改良及び修飾も本発明の保護範囲に含まれることに留意すべきである。
【要約】      （修正有）【解決手段】横開き式の扁平状インクタンク型インクカートリッジは、胴部と、スナップキャップとを備え、前記胴部の上端にインク供給ノズルを有し、前記胴部の上端の片側に逃げ部を更に有し、前記スナップキャップの片側に、下に突出して延びた横開き式係合キャップを有し、前記スナップキャップは胴部の一端に係合し、インク供給ノズルを覆うと共に、前記横開き式係合キャップは逃げ部を整合的に覆い、且つ上へ動かされる時、横開き式係合キャップは、スナップキャップと胴部を片側から次第に分離させるように動かし、スナップキャップの横開きを実現させる。【効果】スナップキャップが開放しやすく、操作が非常に簡便かつ迅速で、また胴部を組み立てる時に、プリンタの一部の印刷ユニットが逃げ部内に位置し、組立時に引っ掛かって動かなくなることなく、汎用性が高く、且つ構造が簡単かつコンパクトで、生産加工しやすく、大量生産及び普及に寄与する。【選択図】図２【図１】
0006856789.tif 000002
【図２】
0006856789.tif 000003
【図３】
0006856789.tif 000004
【図４】
0006856789.tif 000005
【図５】
0006856789.tif 000006